(57)【要約】【課題】暗号キーのスクリーンへの投射やＰＣへのキーボード入力を必要とすることなく、ＰＣとの間で秘匿性の高い無線通信を行う。【解決手段】画像投射装置１は、入力されたデータに対応する表示画像を被投射面３に投射する。該装置は、暗号キーをランダムに作成する暗号キー作成部１４と、該装置に対して取り外し可能に装着されたメモリ７（又は該画像投射装置との通信）を介して暗号キーを取得した外部機器４，５に対して、無線通信によってデータを通信するデータ通信部１４と、該装置の電源遮断操作に応じて暗号キーを無効にするキー無効化部１４とを有する。【選択図】図１
2011155324.tif 000002
【特許請求の範囲】
【請求項１】
入力されたデータに対応する表示画像を被投射面に投射する画像投射装置であって、
暗号キーをランダムに作成する暗号キー作成部と、
該画像投射装置に対して取り外し可能に装着されたメモリ又は該画像投射装置との通信を介して前記暗号キーを取得した外部機器に対して、無線通信によって前記データを通信するデータ通信部と、
該画像投射装置の電源遮断操作に応じて前記暗号キーを無効にするキー無効化部とを有することを特徴とする画像投射装置。
【請求項２】
前記キー無効化部によって前記暗号キーが無効とされた後、該画像投射装置に装着された前記メモリに前記暗号キーが記憶されている場合は、前記暗号キー作成部は新たな暗号キーを作成せず、前記データ通信部は、該記憶されている暗号キーを有する前記外部機器に対して前記データを通信することを特徴とする請求項１に記載の画像投射装置。
【発明の詳細な説明】
【技術分野】
【０００１】
本発明は、入力データに対応した表示画像をスクリーン等の被投射面に投射する画像投射装置（プロジェクタ）に関する。
【背景技術】
【０００２】
プレゼンテーションや会議等においては、特定のパーソナルコンピュータ（ＰＣ）が保持する文書や画像のデータを、無線ＬＡＮ等の無線データ通信方法を用いてプロジェクタに入力し、該入力データに対応する表示画像をスクリーンに投射させる場合がある。このような場合に扱われるデータには、秘匿性を要するものが多い。ただし、無線データ通信を用いることで、データがプレゼンテーションや会議等を行っている部屋の外部に漏れる可能性がある。
そこで、ＰＣとプロジェクタとの間で無線通信されるデータを暗号化することで、データの秘匿性を向上させることができる。特許文献１にて開示されたプロジェクタは、起動（電源投入）ごとに、ランダムに生成した暗号キー（パスワード）をスクリーンに投射する。会議等の参加者が投射された暗号キーを見てそれをＰＣにキーボード入力することで、ＰＣとプロジェクタとの間で無線暗号通信を行うためのネットワーク接続が確立される。
【先行技術文献】
【特許文献】
【０００３】
【特許文献１】特開２００３−６９９２３号公報
【発明の概要】
【発明が解決しようとする課題】
【０００４】
特許文献１にて開示されたプロジェクタのようにＰＣへの暗号キーのキーボード入力を必要とする場合において、特に暗号キーが長い文字列である場合には誤入力が生じ易い。このような誤入力が生じ易い操作をプロジェクタの起動ごとに必要とするのは好ましくなく、操作の簡便化が望まれる。
また、暗号キーをスクリーンに投射すると、会議等の参加者以外の第三者に暗号キーを見られる可能性もあり、これを回避するのが望ましい。
本発明は、暗号キーのスクリーンへの投射やＰＣへのキーボード入力を必要とすることなく、ＰＣとの間で秘匿性の高い無線通信を行うことができる画像投射装置を提供する。
【課題を解決するための手段】
【０００５】
本発明の一側面としての画像投射装置は、入力されたデータに対応する表示画像を被投射面に投射する。該画像投射装置は、暗号キーをランダムに作成する暗号キー作成部と、該画像投射装置に対して取り外し可能に装着されたメモリ又は該画像投射装置との通信を介して暗号キーを取得した外部機器に対して、無線通信によってデータを通信するデータ通信部と、該画像投射装置の電源遮断操作に応じて暗号キーを無効にするキー無効化部とを有することを特徴とする。
【発明の効果】
【０００６】
本発明によれば、暗号キーの被投射面への投射やＰＣへのキーボード入力を必要とすることなく、データの秘匿性を高く維持したままＰＣとの間で無線データ通信を行うことができる。
【図面の簡単な説明】
【０００７】
【図１】実施例１のプロジェクタの構成を示すブロック図。
【図２】実施例１のプロジェクタと無線データ通信を行うＰＣの構成を示すブロック図。
【図３】実施例１のプロジェクタの処理を示すフローチャート。
【図４】実施例１のプロジェクタとＰＣとの無線データ通信の様子を示す概念図。
【図５】上記ＰＣの処理を示すフローチャート。
【図６】実施例１のプロジェクタと暗号キーを保持するＰＣと暗号キーを保持していないＰＣとの無線データ通信の可否を示す概念図。
【図７】暗号キーを保持していないプロジェクタとＰＣとの無線データ通信の可否を示す概念図。
【図８】本発明の実施例２であるプロジェクタの処理を示すフローチャート。
【図９】実施例２のプロジェクタと暗号キーを保持するＰＣと暗号キーを保持していないＰＣとの無線データ通信の可否を示す概念図。
【発明を実施するための形態】
【０００８】
以下、本発明の実施例について図面を参照しながら説明する。
【実施例１】
【０００９】
図１には、本発明の実施例１である画像投射装置としてのプロジェクタの構成を示している。プロジェクタ１は、ＵＳＢメモリ７等のＵＳＢ機器が取り外し可能に装着されるＵＳＢインターフェース１２と、暗号化無線通信部１６とを有する。ＵＳＢメモリ７は、文書や画像等のデータの記憶が可能である。
ＵＳＢメモリ７に記憶されたデータは、ＵＳＢインターフェース１２およびＵＳＢコントローラ１３を介してメインコントローラ（図には単にコントローラと記載している）１４により読み込まれる。ＵＳＢコントローラ１３は、メインコントローラ１４とともに、ＵＳＢインターフェース１２へのＵＳＢ機器の接続状態を管理したり、ＵＳＢメモリ７に対するデータの読み書き等を含むＵＳＢ機器の制御を行ったりする。
また、他のデータは、暗号化無線通信部１６を介してメインコントローラ１４により読み込まれる。
メインコントローラ１４は、読み込んだデータ（以下、入力データという）を映像入力回路１１３に送る。映像処理回路１１４は、入力データに対して解像度変換やキーストン補正を行う。そして、表示回路１１５は、映像処理回路１１４から出力された入力データに応じて表示パネル（液晶パネルやデジタルマイクロミラーデバイス）１１７を駆動する。表示パネル１１７には、光源ランプ１１６からの光が入射する。表示パネル１１７によって画像変調された光は、投射レンズ１１を介して被投射面であるスクリーン３に投射される。これにより、入力データに対応する表示画像がスクリーン３に投射される。
【００１０】
暗号化無線通信部１６は、暗号キー作成部としてのメインコントローラ１４から暗号キー記憶部１７に与えられる暗号キーを用いてデータの暗号化を行う。そして、データ通信部としてのメインコントローラ１４は、暗号キーを取得した外部機器としてのパーソナルコンピュータ（以下、ＰＣという）との間において、暗号化されたデータの無線通信（暗号化無線通信）を行う。
図２には、ＰＣ４の構成を示している。ＰＣ４は、ＵＳＢメモリ７等のＵＳＢ機器が取り外し可能に装着されるＵＳＢインターフェース４２と、暗号化無線通信部４６とを有する。ＵＳＢコントローラ４３は、ＯＳ（オペレーティングシステム）４４とともに、ＵＳＢインターフェース４２へのＵＳＢ機器の接続状態を管理したり、ＵＳＢメモリ７に対するデータの読み書き等を含むＵＳＢ機器の制御を行ったりする。
暗号化無線通信部４６は、ＯＳ４４から暗号キー記憶部４７に与えられる暗号キーを用いてデータの暗号化を行い、プロジェクタ１との間において、暗号化されたデータの無線通信を行う。ＰＣ４は、入力手段として、キーボード４８およびマウス４９を有する。
次に、図３のフローチャートを用いて、プロジェクタ１（メインコントローラ１４）における起動時の暗号化無線通信に関する処理について説明する。
ステップＳ１０１で、ユーザによるプロジェクタ１のメインスイッチ（図示せず）のオン操作、すなわち電源投入操作が行われると、メインコントローラ１４は起動してステップＳ１０２に進む。
ステップＳ１０２では、メインコントローラ１４は、ＵＳＢコントローラ１３を通じてＵＳＢインターフェース１２にＵＳＢメモリ７が装着されたか否かを判定する。ＵＳＢメモリ７が装着されている場合は、メインコントローラ１４はステップＳ１０３に進み、ＷＥＰ（Wired Equivalent Privacy）の暗号キー（パスワードともいう）を作成する。このとき、以前に生成した暗号キーやプロジェクタ１の固有の情報とは相関のない暗号キーをランダム（無作為）に作成することで、暗号化無線通信の秘匿性を高めることができる。ここで作成された、暗号化無線通信に必要な情報を暗号キーＡという。
ステップＳ１０２においてＵＳＢメモリ７が装着されていない場合は、メインコントローラ１４はステップＳ１０７に進んで、本処理を終了する。
ステップＳ１０４において、メインコントローラ１４は、暗号キーＡをＵＳＢメモリ７に保存（記憶）する。そして、メインコントローラ１４は、ステップＳ１０５およびＳ１０６において、暗号キーＡを暗号キー記憶部１７に設定し、暗号化通信部１６を通じた、図４に示すＰＣ４との無線通信を可能とする。この後、ステップＳ１０７において、メインコントローラ１４は、本処理を終了する。
以上の処理により、図４に示すように、メインコントローラ１４は、暗号キーＡのランダム作成とＵＳＢメモリ７への保存を行う。ただし、この段階では、プロジェクタ１（メインコントローラ１４）とＰＣ４との無線通信は開始されていない。
なお、同様の暗号キーＡの作成およびＵＳＢメモリ７への保存処理は、プロジェクタ１の起動時（電源投入時）のほか、プロジェクタ１に設けられた操作パネル１８やリモートコントローラ１９等の操作部を通じた指示に応じて実行されるようにしてもよい。このことは、後述する他の実施例でも同じである。
次に、図５のフローチャートを用いて、ＰＣ４における暗号化無線通信に関する処理について説明する。本処理は、ＯＳ４４によって自動的に又はキーボード４８やマウス４９を通じた簡単なユーザ操作（通信スタートボタンのオン操作やクリック等）に応じて開始される。
ステップＳ２０２において、ＯＳ４４（又はＯＳ４４上で動作する専用アプリケーション）は、ＵＳＢコントローラ４３を通じて、ＵＳＢメモリ７がＵＳＢインターフェース４２に装着されたか否かを判定する。ＵＳＢメモリ７が装着された場合は、ＯＳ４４はステップＳ２０３に進む。また、ＵＳＢメモリ７が装着されていない場合は、ＯＳ４４はステップＳ２０７に進み、本処理を終了する。
ステップＳ２０３では、ＯＳ４４はＵＳＢメモリ７内に暗号キーＡが保存されているか否かを判定する。暗号キーＡが保存されている場合は、ＯＳ４４はステップＳ２０４に進む。また、暗号キーＡが保存されていない場合は、ＯＳ４４はステップＳ２０７に進み、本処理を終了する。
ステップＳ２０４では、ＯＳ４４は、ＵＳＢメモリ７から暗号キーＡを読み込む。そして、ステップＳ２０５，Ｓ２０６では、ＯＳ４４は、暗号キーＡを暗号キー記憶部４７に設定し、暗号化無線通信部４６にプロジェクタ１との無線通信を開始させる。この後、ＯＳ４４はステップＳ２０７に進み、本処理を終了する。
以上の処理が終了すると、図６に示すように、プロジェクタ１とＰＣ４との間で、プロジェクタ１においてその起動時に生成された暗号キーを用いて暗号化されたデータの無線通信（暗号化無線通信）が可能となる。プロジェクタ１からＰＣ４に送信された又はＰＣ４からプロジェクタ１に送信された暗号化データは、ＰＣ４又はプロジェクタ１内において復号化される。
また、ＵＳＢメモリ７をＰＣ４とは別のＰＣ５のＵＳＢインターフェース５２に装着して、該ＰＣ５において図５に示した処理を行うことで、プロジェクタ１とＰＣ５との間でも暗号キーを用いた暗号化無線通信（データのやり取り）が可能となる。図５に示した処理を行っていないＰＣ６は、プロジェクタ１と無線通信をすることはできない。
以上説明したように、本実施例によれば、プロジェクタ１においてランダムに作成された暗号キー等の暗号キーをＵＳＢメモリ７を介してＰＣ４，５に渡すことで、プロジェクタ１とＰＣ４，５との間でのみ、暗号化されたデータのやり取りを行うことができる。これにより、ユーザは、ＰＣ４（又はＰＣ５）において長い暗号キーの入力をキーボード４８等を通じて行う必要がなく、簡易な操作でプロジェクタ１との暗号化無線通信を開始することができる。
また、本実施例では、暗号キー等の暗号キーをスクリーンに投射表示しないので、第三者に暗号キーが知られる可能性を少なくすることができる。
【００１１】
さらに、プロジェクタ１は、電源遮断後に、異なるユーザによって使用されることが多い。そこで、キー無効化部としてのメインコントローラ１４は、プロジェクタ１のメインスイッチのオフ操作（電源遮断操作）に応じて、暗号化無線通信部１６に設定した暗号キーＡを破棄する（無効にする）。これにより、図７に示すように、電源がオフされたプロジェクタ１には暗号キーＡが残らない。このため、ＵＳＢメモリ７内やＰＣ４，５内に前回の暗号キーＡが残っていても、ＰＣ４，５やＵＳＢメモリ７から前回の暗号キーＡを読み込んだ他のＰＣとプロジェクタ１とは暗号化無線通信を行えない。したがって、データの秘匿性を向上させることができる。
【００１２】
なお、本実施例では、プロジェクタ１とＰＣ４との間およびＰＣ４，５の間でＵＳＢメモリ７を用いて暗号キーＡをやり取りする場合について説明した。しかし、プロジェクタ１と該プロジェクタ１に対して接近させたＰＣ４との間で、赤外線通信等の限定された範囲でのみ有効な無線通信によって、暗号キーＡをやり取りするようにしてもよい。このことは、後述する他の実施例でも同じである。
【実施例２】
【００１３】
図８のフローチャートには、本発明の実施例２であるプロジェクタにおける起動時の暗号化無線通信に関する処理を示している。本実施例のプロジェクタは実施例１のプロジェクタ１と同様の構成を有するため、本実施例のプロジェクタも「プロジェクタ１」と記す。また、本実施例のプロジェクタ１の構成要素にも、実施例１と同符号を付す。
ステップＳ３０１で、ユーザによるプロジェクタ１のメインスイッチ（図示せず）のオン操作、すなわち電源投入操作が行われると、メインコントローラ１４は起動してステップＳ３０２に進む。
ステップＳ３０２では、メインコントローラ１４は、ＵＳＢコントローラ１３を通じてＵＳＢインターフェース１２にＵＳＢメモリ７が装着されたか否かを判定する。ＵＳＢメモリ７が装着されている場合は、メインコントローラ１４はステップＳ３０３に進む。ＵＳＢメモリ７が装着されていない場合は、メインコントローラ１４はステップＳ３１２に進んで、本処理を終了する。
ステップＳ３０３では、メインコントローラ１４は、ＵＳＢメモリ７に既に暗号キーＡ（前回のプロジェクタ１の起動時に作成された暗号キー）が保存されているか否かを判別する。暗号キーＡが保存されていない場合は、メインコントローラ１４はステップＳ３０４に進み、暗号キーＡが保存されている場合はステップＳ３０９に進む。
ステップＳ３０４では、メインコントローラ１４は、ＷＥＰの暗号キー（パスワード）Ｂを作成する。このとき、以前に生成した暗号キーＡとは相関のない暗号キーＢをランダム（無作為）に作成する。そして、ステップＳ３０５では、メインコントローラ１４は、暗号キーＢをＵＳＢメモリ７に保存（記憶）する。
ステップＳ３０７およびＳ３０８では、メインコントローラ１４は、暗号キー２を暗号キー記憶部１７に設定し、暗号化通信部１６を通じた、図９に示すＰＣ４との暗号化無線通信を可能とする。この後、ステップＳ３１２において、メインコントローラ１４は、本処理を終了する。
一方、ステップＳ３０９では、メインコントローラ１４は、ＵＳＢメモリ７から暗号キーＡを読み込む。そして、ステップＳ３１０およびＳ３１１において、メインコントローラ１４は、暗号キーＡを暗号キー記憶部１７に設定し、暗号化通信部１６を通じたＰＣ４との無線通信を可能とする。その後、ステップＳ３１２において、メインコントローラ１４は、本処理を終了する。
図９に示したＰＣ４，５においては、実施例１（図５）にて説明した処理を行う。これにより、プロジェクタ１と暗号キーＡを設定していないＰＣ６との間およびＰＣ４，５とＰＣ６との間での暗号化無線通信は行われない。
なお、メインコントローラ１４は、プロジェクタ１のメインスイッチのオフ操作に応じて、暗号キー記憶部１７に設定されていた暗号キーＡ，Ｂを破棄（無効化）する。
本実施例では、プロジェクタ１の電源遮断操作に応じてプロジェクタ１にて暗号キーＡが破棄されても、図９に示すように暗号キーＡが保存されたＵＳＢメモリ７をプロジェクタ１に装着してプロジェクタ１を起動すると、暗号キーＡが再読み込みされる。これにより、プロジェクタ１での暗号キーＡの再作成を行わなくても、プロジェクタ１とＰＣ４との間での暗号キーＡを用いた暗号化無線通信を行うことが可能となる。
例えば、プレゼンテーションや会議で、一度ＵＳＢメモリ７による暗号化無線通信の設定を行った場合において、次回のプレゼンテーション等のときにＵＳＢメモリ７を用いた再設定を不要とすることが可能となる。
すなわち、ＰＣ４，５に暗号キーＡが設定されている状態では、プロジェクタ１に暗号キーＡが保存されたＵＳＢメモリ７を接続しない限り、これらの間でデータ通信を行うことはできない。
【００１４】
なお、上記実施例１，２では、電源遮断操作に応じてプロジェクタ１内の暗号キー記憶部１７に設定されていた暗号キーを必ず破棄する場合について説明したが、暗号キーを破棄するか残しておくかをユーザが選択できるようにしてもよい。具体的には、暗号キーを破棄するモードと破棄しないモードとを設け、ユーザがモード切り換えスイッチの操作によっていずれかのモードを選択できるようにすればよい。これにより、扱うデータの秘匿性の高さに応じたプロジェクタ１の柔軟な運用が可能となる。
【００１５】
また、上記各実施例では、暗号キーをＵＳＢメモリに保存する場合について説明したが、ＵＳＢメモリ以外のメモリ（メモリーカード等）に暗号キーを保存してもよい。
以上説明した各実施例は代表的な例にすぎず、本発明の実施に際しては、各実施例に対して種々の変形や変更が可能である。
【産業上の利用可能性】
【００１６】
ＰＣ等の外部機器との間で秘匿性の高い無線通信を行うことが可能な画像投射装置を提供できる。
【符号の説明】
【００１７】
１  プロジェクタ
４，５  ＰＣ
７  ＵＳＢメモリ
１４  メインコントローラ
【図２】
2011155324.tif 000003
【図１】
2011155324.tif 000004
【図３】
2011155324.tif 000005
【図４】
2011155324.tif 000006
【図５】
2011155324.tif 000007
【図６】
2011155324.tif 000008
【図７】
2011155324.tif 000009
【図８】
2011155324.tif 000010
【図９】
2011155324.tif 000011